(57)【特許請求の範囲】
【請求項１】
廃棄車両を吊り上げて作業空間の作業位置まで移動する上下動自在なハンガーを備えたキャリアに、作業位置まで移動させた廃棄車両を挟持して横倒しにする車両反転装置の機能を備えた廃棄自動車の解体装置であって、車両反転装置が対向して設けた２個の保持部材から構成され、一方の保持部材には駆動源の駆動により前後動する回動可能な車両受け部を設け、他方の保持部材にはシリンダの作動により回動される車両受け部を設けたことを特徴とする廃棄自動車の解体装置。
【発明の詳細な説明】
【０００１】
【発明の属する技術分野】
本発明は、廃棄自動車から再使用可能な部品を回収する廃棄自動車の解体装置に関するものである。
【０００２】
【従来の技術】
近年、環境への関心が世界的に高まっており、廃棄物削減のための法整備も進められている。古自動車や、事故自動車等の廃棄自動車についても使用可能な部品を回収し、リサイクルすることが求められており、リサイクル部品の取り外し作業の効率改善が課題となっている。現在リサイクル部品の取り外し作業については全く機械化が進んでおらず、フォークリフトあるいはホイストにより廃棄自動車を持ち上げ、廃油の回収や部品の回収などの作業を行っており、作業者に不自然な姿勢での作業を強いることとなって、効率の良い作業ができないという問題があった。
【０００３】
【発明が解決しようとする課題】
本発明は上記した問題点を解決し、楽な姿勢で複数の作業者が同時にリサイクル部品の取り外し作業をできるようにする廃棄自動車の解体装置を提供するためになされたものである。
【０００４】
【課題を解決するための手段】
上記の問題は、廃棄車両を吊り上げて作業空間の作業位置まで移動する上下動自在なハンガーを備えたキャリアに、作業位置まで移動させた廃棄車両を挟持して横倒しにする車両反転装置の機能を備えた廃棄自動車の解体装置であって、車両反転装置が対向して設けた２個の保持部材から構成され、一方の保持部材には駆動源の駆動により前後動する回動可能な車両受け部を設け、他方の保持部材にはシリンダの作動により回動される車両受け部を設けたことを特徴とする廃棄自動車の解体装置によって解決できる。
【０００５】
【０００６】
【発明の実施の形態】
次に、本発明の好ましい実施形態について、図面を参照しながら詳細に説明する。
図１において、１は解体作業を行う作業空間であって、該作業空間１の中央近傍には回転式のキャリア２を設置する。キャリア２は廃棄車両を吊り上げる上下動自在なハンガー３を備え、ハンガー３を支柱を軸に回動させ、２箇所の作業位置２ａ、２ｂのいずれかの位置に停止させるものとしている。また、キャリア２の周辺には、温水洗浄器４、検査ステーション５、複数のリサイクル部品棚６ａ、６ａからなるリサイクル部品保管部６、複数の不要部品置場７ａからなる不要部品保管部７、部品保持装置８が配置される。９は、車両搬送台車であって、レール１０の上に設置され、定位置９ａとキャリア２の作業位置２ａとの間を往復動させられる。１１は車両反転装置であって、キャリア２の作業位置２ｂに設置される。１２は廃棄車両の受け入れステーション、１３はエアコン用のフロンガス抜き取り装置、１４は作業空間１に隣接して設けた燃料回収装置である。
【０００７】
図２は車両反転装置の好ましい実施形態を示すもので、車両の前部保持反転部１５と後部保持反転部１６を対向させて構成される。前部保持反転部１５は、台盤１７と、台盤１７上を前後にスライドできるように設けた支柱１８と、支柱１８上部に回動自在に軸支される車両受け部１９から構成される。車両受け部１９の両端部には左右位置の可調整なチェーン架け渡し部１９ａ、１９ａが設けられ、チェーン架け渡し部１９ａ、１９ａには一方にチェーン２０の一端が、他方にチェーン２０の受け金２１がそれぞれ取り付けられている。２２は、電動機２３により駆動され、支柱１８をスライドさせるボールねじである。後部保持反転部１６は、支柱２４と、支柱２４上部に回動自在に軸支される車両受け部２５から構成され、車両受け部２５は車両受け部１９と対向させてある。車両受け部２５には、車両受け部１９と同様にチェーン架け渡し部２５ａ、２５ａが設けられ、チェーン架け渡し部２５ａ、２５ａには一方にチェーン２６の末端が、他方にチェーン２６の先端を係合させる受け金２７がそれぞれ取り付けられている。２８はエアシリンダであって、支柱２４と車両受け部２５との間に取り付けられ、その伸長により車両受け部２５を反転する。
【０００８】
前記構成のものにおいて、廃棄される車両Ａは燃料回収装置１４によって燃料を抜き取られた後、受け入れステーション１２まで搬送される。受け入れステーション１２においてはリサイクル部品の決定とそれに基づく作業指示書の作成を行い、その後バッテリの取り外しとフロンガスの抜き取り装置１３によるフロンガスの抜き取りをして車両Ａを車両搬送台車９上へ移動する。車両搬送台車９の定位置においては、ドア、フロントガラス、リアガラス、ボンネットフード等の必要な外装部品及び内装部品を取り外す。この取り外し作業に際しては、部品保持装置８を使用し、作業を楽に行うことができる。
【０００９】
その後車両搬送台車９をレール１０に沿ってキャリア２の作業位置２ａまで移動させ車両Ａをキャリア２のハンガー３に保持させる。キャリア２の作業位置２ａにおいてはエンジンオイル、ミッションオイル、ブレーキオイル、パワーステアリングオイル、トルクコンバータオイル、冷却材等の油脂類の抜き取りとタイヤ及びラジエータの取り外しを行う。続いてキャリア２を回動し、ハンガー３を作業位置２ｂ側に移動させて車両Ａを車両反転装置１１に乗せ換え、車両反転装置１１により車両を横倒しにしてエンジン、トランスミッション、マフラー、足回り部品を取り外す。部品を取り外した後の、残された車両Ａは、フォークリフト等によりプレス、裁断等の次工程へ搬送する。この間に取り外した部品は再使用可能なリサイクル部品と不要部品とに区分けし、リサイクル部品は検査ステーション５において検査し、必要に応じて温水洗浄機により洗浄した上リサイクル部品保管部６に収納し、不要部品は不要部品保管部７に収納する。
【００１０】
車両反転装置１１にキャリア２から車両Ａを乗せ換える時には、まず電動機２３によりボールねじ２２を駆動し、支柱１８を前進又は後進させて車両受け部１９を前進又は後進させ、車両受け部１９と車両受け部２５の間隔を車両Ａの長さに合わせて調整する。次に、車両Ａを車両受け部１９及び２５により支承させた後、チェーン２０及び２６の先端をそれぞれ受け金２１及び２７に係合させ、チェーン２０及び２６に過度のたるみを生じさせないようにチェーン架け渡し部１９ａ、１９ａ及び２５ａ、２５ａの位置を調節する。その後エアシリンダ２８を伸長させると、図３に示すように、車両受け部２５は反転させられることとなり、車両受け部１９は車両Ａを介して連結されていることから従動して回転させられる。このようにして、作業位置２ｂでは車両Ａを横倒しとして解体作業を行うので、楽な姿勢で車両の両側から複数作業者が同時に部品を取り外すことができる。このとき車両Ａはチェーン２０及び２６により確実に安定した状態で保持されるので車両が転倒、落下等することはない。
【００１１】
図４乃至図６はハンガー３に車両反転装置の機能を持たせた場合のハンガー２の構成及び動作の様子を示すものである。２９はアーチ形のハンガー主体であって、該ハンガー主体２９の下端両側には車両受け爪３０、３０が出入自在に設けてある。３１はハンガー主体２９の何れかの縦枠部に末端を固定したチェーンであって、該チェーン３１の先端は車両Ａのタイヤを取り外した後の片側の車軸等に縛り付ける。作業位置２ａから作業位置２ｂへ車両Ａを移動する場合、車両Ａは作業位置２ａにおいて車両受け爪３０、３０によって支承されるので、ハンガー３を上昇させてキャリア２を回動させ、車両Ａを作業位置２ｂ側に移動した後ハンガー３を降下させて車両Ａを床上に下ろし、車両受け爪３０、３０を引っ込める。この状態でハンガー３を上昇させると、車両Ａはチェーン３１に引っ張られて片側が引き上げられ、図５に示すように車両Ａが傾けられることになる。そしてさらにハンガー３を上昇させることにより図６に示すように車両Ａはチェーン３１に引っ張られて横倒しとなるものである。
【００１２】
【発明の効果】
以上説明した本発明の実施の形態によれば、燃料、バッテリ、エンジンオイルほかの各種油脂類等液体及び液体の入ったものは車両を水平位置で回収もしくは取り外し、エンジン、トランスミッション、マフラー、足回り部品等大部分の部品は車両を横倒しとした状態で取り外すようにしたので、大部分の取り外し作業を前向きの楽な姿勢で行うことができる利点がある。しかも車両の両側から複数の作業者が同時に作業することができることから車両の解体作業の効率が著しく改善される利点がある。
したがって、本発明は従来の問題点を解決した廃棄自動車の解体装置として業界の発展に寄与するところ極めて大なものであり、社会的要求にもこたえるものである。
【図面の簡単な説明】
【図１】本発明の好ましい実施の形態を示す配置図である。
【図２】本発明の実施の形態において、車両反転装置の構成を示す斜視図である            。
【図３】本発明の実施の形態において、車両反転装置を動作させた状態を示す斜視図である。
【図４】本発明の実施の形態において、ハンガーに車両反転装置を兼ねさせた場合のハンガーの構成を示す斜視図である。
【図５】本発明の実施の形態において、ハンガーに車両反転装置を兼ねさせた場合の動作途中の状態を示す斜視図である。
【図６】本発明の実施の形態において、ハンガーに車両反転装置を兼ねさせた場合の動作させた状態を示す斜視図である。
【符号の説明】
１  作業空間
２  キャリア
２ａ、２ｂ  作業位置
３  ハンガー
４  温水洗浄機
５  検査ステーション
６  リサイクル部品保管部
６ａ  リサイクル部品棚
７  不要部品保管部
７ａ  不要部品置場
８  部品保持装置
９  車両搬送台車
１０  レール
１１  車両反転装置
１２  受け入れステーション
１３  フロンガス抜き取り装置
１４  燃料回収装置
１５  前部保持反転部
１６  後部保持反転部
１７  台盤
１８  支柱
１９  車両受け部
１９ａ  チェーン架け渡し部
２０  チェーン
２１  受け金
２２  ボールねじ
２３  電動機
２４  支柱
２５  車両受け部
２５ａ  チェーン架け渡し部
２６  チェーン
２７  受け金
２８  エアシリンダ
２９  ハンガー主体
３０  車両受け爪
３１  チェーン
Ａ  車両
【図１】
0004587352.tif 000002
【図２】
0004587352.tif 000003
【図３】
0004587352.tif 000004
【図４】
0004587352.tif 000005
【図５】
0004587352.tif 000006
【図６】
0004587352.tif 000007